(57)【要約】      （修正有）【課題】テープの過剰な長さの分を調整して正しく結束することが容易な、テープ結着型結束具を提供する。【解決手段】結束具本体と結束用テープとからなる。結束具本体は結束用テープを保持するテープリール、第一のアーム及び第二のアームを備え、結束用テープがテープリールから第一のアームの先端に供給され、結束用伸張部は、第二のアームの先端部において固定され、第一のアーム及び第二のアームの少なくとも一方が回動して第一のアーム及び第二のアームの先端部分同士が接触する際に結束用テープを切断して結束する。結束用テープは片面粘着テープであり、片面粘着テープの粘着面が結束用伸張部において結束具本体の外側にある。【選択図】図１
0003170375.tif 000002
【実用新案登録請求の範囲】
【請求項１】
結束具本体と結束用テープとからなり、
前記結束具本体は前記結束用テープを保持するテープリール、第一のアーム及び第二のアームを備え、前記結束用テープが前記テープリールから前記第一のアームの先端に供給され、更に前記第一のアームの先端と前記第二のアームの先端との間に懸架されて結束用伸張部を構成し、
前記結束用伸張部は、前記第二のアームの先端部において固定され、
前記結束用伸張部を被結束物に当接させ、その後に該当接箇所と前記第一のアームの先端との距離が大きくなるように前記結束具本体を移動させることによって、前記第一のアームの先端から前期結束用テープが延伸されるものであり、
前記第一のアーム及び前記第二のアームの少なくとも一方が回動して前記第一のアーム及び前記第二のアームの先端部分同士が接触する際に前記結束用テープを切断して結束する結束具であって、
前記結束用テープは片面粘着テープであり、前記片面粘着テープの粘着面が前記結束用伸張部において結束具本体の外側にあることを特徴とする、結束具。
【請求項２】
前記片面粘着テープの粘着力が植物の茎である被結束物に対して十分に弱く、
前記結束用伸張部を被結束物に押し当てた後に前記結束具本体を持って該被結束物を前記結束用伸張部に沿って移動させることが可能であることを特徴とする、請求項１に記載の結束具。
【請求項３】
前記結束具本体は、前記第二のアームの先端付近に、前記結束用伸張部のうち前記第二のアームの先端から所定の距離以下の箇所に被結束物に押し当てることを防止する結束物位置調整機構を備えたことを特長とする、請求項１又は２に記載の結束具。
【請求項４】
前記結束物位置調整機構は、前記第二のアームの先端部のうち前記回動によって前記第一のアームに接することのない外側の箇所に設けられた棒状体であることを特徴とする、請求項３に記載の結束具。
【請求項５】
前記結束具本体は固定グリップ及び前記第二のアームを回動させるためのレバーを備え、
前記レバーは前記固定グリップと前記第二のアームの間にあり、
前記第一のアームは回動せず、
前記レバーを前記固定グリップの方向に回動させることにより前記第二のアームが回動して前記第一のアーム及び前記第二のアームの先端部分同士が接触することを特徴とする、請求項１〜４のいずれか１項に記載の結束具。
【考案の詳細な説明】
【技術分野】
【０００１】
本考案は、植物等を結束する結束具に関するものである。
【背景技術】
【０００２】
結束具本体と結束用テープとからなり、前記結束具本体は前記結束用テープを保持するテープリール、第一のアーム及び第二のアームを備え、前記結束用テープが前記テープリールから前記第一のアームの先端に供給され、更に前記第一のアームの先端と前記第二のアームの先端との間に懸架されて結束用伸張部を構成し、前記結束用伸張部は、前記第二のアームの先端部において固定され、前記結束用伸張部を被結束物に当接させ、その後に該当接箇所と前記第一のアームの先端との距離が大きくなるように前記結束具本体を移動させることによって、前記第一のアームの先端から前期結束用テープが延伸されるものであり、前記第一のアーム及び前記第二のアームの少なくとも一方が回動して前記第一のアーム及び前記第二のアームの先端部分同士が接触する際に前記結束用テープを切断して結束する結束具（以下、「テープ結着型結束具」と言う。）は、各種のものが知られている。
例えば、特許文献１には粘着性を持たないテープをステープルによって固着するものが、特許文献２には熱溶着テープを溶着するものが開示されている。
【０００３】
これら従来のテープ結着型結束具には、以下の問題があった。テープを結着させる箇所は第一のアームと第二のアームとが接する箇所のみである。このため、被結束物を深く挿入し過ぎたとき（結束用伸張部を被結束物に当接させ後に結束器本体を移動させ過ぎたとき）には、結束に必要な長さよりも長いテープを使用することとなってしまい、テープの過剰な長さの分を調整して正しく結束することが困難である。
【先行技術文献】
【特許文献】
【０００４】
【特許文献１】特開２０１０−０５１２４８号公報
【特許文献２】特開２０１１−０３１９８２号公報
【考案の概要】
【考案が解決しようとする課題】
【０００５】
解決しようとする問題点は、テープの過剰な長さの分を調整して正しく結束することが容易な、テープ結着型結束具を提供することである。
【課題を解決するための手段】
【０００６】
本考案の結束具は、
結束具本体と結束用テープとからなり、
前記結束具本体は前記結束用テープを保持するテープリール、第一のアーム及び第二のアームを備え、前記結束用テープが前記テープリールから前記第一のアームの先端に供給され、更に前記第一のアームの先端と前記第二のアームの先端との間に懸架されて結束用伸張部を構成し、
前記結束用伸張部は、前記第二のアームの先端部において固定され、
前記結束用伸張部を被結束物に当接させ、その後に該当接箇所と前記第一のアームの先端との距離が大きくなるように前記結束具本体を移動させることによって、前記第一のアームの先端から前期結束用テープが延伸されるものであり、
前記第一のアーム及び前記第二のアームの少なくとも一方が回動して前記第一のアーム及び前記第二のアームの先端部分同士が接触する際に前記結束用テープを切断して結束する結束具であって、
前記結束用テープは片面粘着テープであり、前記片面粘着テープの粘着面が前記結束用伸張部において結束具本体の外側にあることを特徴とする。
【０００７】
本考案の結束具は、
前記片面粘着テープの粘着力が植物の茎である被結束物に対して十分に弱く、
前記結束用伸張部を被結束物に押し当てた後に前記結束具本体を持って該被結束物を前記結束用伸張部に沿って移動させることが可能であることを特徴とする。
【０００８】
本考案の結束具は、
前記結束具本体は、前記第二のアームの先端付近に、前記結束用伸張部のうち前記第二のアームの先端から所定の距離以下の箇所に被結束物に押し当てることを防止する結束物位置調整機構を備えたことを特長とする。
【０００９】
本考案の結束具は、
前記結束物位置調整機構は、前記第二のアームの先端部のうち前記回動によって前記第一のアームに接することのない外側の箇所に設けられた棒状体であることを特徴とする。
【００１０】
本考案の結束具は、
前記結束具本体は固定グリップ及び前記第二のアームを回動させるためのレバーを備え、
前記レバーは前記固定グリップと前記第二のアームの間にあり、
前記第一のアームは回動せず、
前記レバーを前記固定グリップの方向に回動させることにより前記第二のアームが回動して前記第一のアーム及び前記第二のアームの先端部分同士が接触することを特徴とする。
【考案の効果】
【００１１】
本考案の結束具は、テープの過剰な長さの分を調整して正しく結束することが容易である。また、片面粘着テープを用いることに起因する問題を解決している。更に、レバーが使いやすい位置に備えられている。
【図面の簡単な説明】
【００１２】
【図１】図１は、テープ結着型結束具の構造を示す図である。
【図２】図２は、テープ結着型結束具の結束の様子を示す図である。
【図３】図３は、結束状況を示す図である。
【図４】図４は、テープ結着型結束具において結束が困難となる例を示す図である。
【図５】図５は、結束物位置調整機構の例を示す図である。
【図６】図６は、テープ結着型結束具の構造を示す図である。
【図７】図７は、カムとクランプに係る内部機構を示す図である。
【考案を実施するための形態】
【００１３】
本考案の原理を示す実施例１、結束物位置調整機構の効果を示す実施例２及び動作の手順を示す実施例３を示す。
【実施例１】
【００１４】
図１は、テープ結着型結束具の構造を示す図である。結束具本体１には、テープリール２、第一のアーム３、第二のアーム４、グリップ５及びレバー６が設けられている。第二のアーム４は、軸４ａを中心として回動可能である。レバー６は、軸６ａを中心として回動可能である。図に点線で示したように結束具本体の内部において第二のアーム４とレバー６とが接しており、レバー６を図の左側に動かすと第二のアーム４が図の上側に動く。また、第二のアーム４は図示しないバネによって図の下側に向けて引かれており、レバー６を放すと第二のアーム４が図の下側に動く。
ここで、レバー６はグリップ５と第二のアーム４の間にある。グリップ５を把持して被結束物を第一のアームと第二のアームの間に捉えた状態でレバー６を操作するためには、レバー６がグリップ５から見て第二のアームの側にあるほうが、反対側にあるよりも使い易い。
第一のアーム３の先端部には、カム押下部３１及び刃受け空洞３２が設けられている。第二のアーム４の先端部には、カム４１、クランプ４２及び刃４３が設けられている。
テープ７が、テープリール２から第一のアーム３の上部及び第一のアームの先端を経由して第二のアームの先端まで届いている。テープ７は、クランプ４２によって固定されている。第一のアームの先端とクランプ４２との間では、テープ７が懸架されて結束用伸張部７１を構成している。
テープ７は片面粘着テープであり、結束用伸張部７１において、図の右側（結束具本体１の外側）が粘着面である。
【００１５】
図２は、テープ結着型結束具の結束の様子を示す図である。
図（ａ）のように結束器本体の第一のアーム３と第二のアーム４との間に被結束物８を入れる。この状態で、レバー６を操作して第二のアームを図の上方に回動させる。図（ｂ）のように被結束物の周縁のテープによって結束される。この後、更に第二のアームを回動させることにより、カム押下部３１によってカム４１が押入され、刃４３が刃受け空洞３２に挿入されてテープが切断される。
【００１６】
被結束物８と刃４３との距離に対応して、上記結束の直後においては、被結束物の外周よりも結束に用いられたテープが長いこととなる。すなわち、テープに過剰部分があり、結束が十分に強固ではない可能性がある。図３は、結束状況を示す図である。テープの過剰部分に起因して、図（ａ）のように被結束物が十分に結束されていない。
ここで、テープが片面粘着テープであれば、結束器による結束の後で、過剰部を粘着させて図（ｂ）のように結束を強固にすることが容易である。
【実施例２】
【００１７】
テープが粘着テープであると、実施例１に示すように結束器による結束の後で過剰部を粘着させて結束を強固にすることができる。一方、粘着テープであることに起因する問題もある。
図４は、テープ結着型結束具において結束が困難となる例を示す図である。図（ａ）は、結束用伸張部を第二のアームの近傍において被結束物に当接させてしまった場合のものである。テープ７の粘着力が被結束物８に対して十分に強く、当該当接箇所においてテープ７と被結束物８とが固着し、当該当接箇所は変更できないものとする。テープ７は第二のアームの先端で固定されており、第二のアームの先端（図においてＡで示す）と当接箇所（図においてＢで示すとの間の距離は変更できない。この距離が小さな状態で第二のアーム４を回動させても、図（ｂ）に示すように被結束物によって第二のアームの回動が妨害されてしまい、結束することができない。
当接箇所が変更できなくなってしまうのは、テープの粘着力が植物の茎である被結束物に対して強く、結束具本体を移動しても当接箇所が移動せずに第一のアームから結束用テープが延伸されてしまう場合である。この事態は、テープの被結束物に対する粘着力が第一のアームからテープを延伸させるために必要な力よりも大きい場合に発生する。テープの被結束物に対する粘着力は被結束物の品質や形状、テープと被結束物の接触面積等によって変動するが、これらの変動要因を想定し、その範囲内でテープの被結束物に対する粘着力が第一のアームからテープを延伸させるために必要な力よりも小さいようにすればよい。
【００１８】
テープの粘着力が強い場合であっても、結束物位置調整機構を用いることにより結束用伸張部を第二のアームの近傍において被結束物に当接させてしまうことを防止できる。図５は、結束物位置調整機構の例を示す図である。棒状体９は、結束用伸張部の第二のアームの先端から所定の距離以下の箇所に被結束物が押し当てることを防止する。ここで、「所定の距離」は結束物の大きさ等に依存し、一律に決定できるものではない。しかし、被結束物を結束用伸張部の中央近くに当接させることが望ましいので、「所定の距離」としては回動させていない状態における第一のアームの先端と第二のアームの先端との距離の２分の１程度が好ましい。
また、棒状体９は第二のアーム４の先端部のうち回動によって第一のアーム３に接することのない外側の箇所に設けられており、回動により第一のアームの先端と第二のアームの先端とが接触することを妨げることはない。
なお、棒状体９は、第二のアームに固定された剛性体である必要はない。例えば、第二のアームの付近にバネを備え、そのバネの部分で曲がるものであってもよい。結束用伸張部を第二のアームの近傍において被結束物に当接させてしまうことを防止しつつ、径の大きな被結束物を二つのアームの間に挿入しやすくすることができる。
図６は、テープ結着型結束具の構造を示す図である。図１に対して、棒状体９が付されている。
【実施例３】
【００１９】
実施例１及び２のようにして結束を終えた後、テープ７が第二のアームに固定されたままでは結束に用いたテープを結束具本体１から切り離し、次の結束を行うことが困難である。以下のようにしてこの問題を解決する。
【００２０】
実施例１のとおりに結束を行うと、その際にカム４１が押入される。図７は、カムとクランプに係る内部機構を示す図である。カム４１は押入られ、第二のアーム４が第一のアーム３から離れるとバネの力によって元の位置に戻る。この動作により、下にあったカムピンが上に移動し、クランプ４２は開いた（テープを保持しない）状態となる。結束に用いられたテープが開放され、結束具本体から離れる。
【００２１】
上記の結果、テープ７は第一のアームから先に延伸されていない状態となる。この状態でもう一度レバー６を押すと、カム４１が押入られ、第二のアーム４が第一のアーム３から離れるとバネの力によって元の位置に戻る。この動作により、上にあったカムピンが下に移動し、クランプ４２は閉じた（テープを保持する）状態となる。この際、第一のアームの稼動部３３が押入れられ、その分、テープ７が第一のアームから突出した状態となる。クランプ４２は、この突出部分を保持する。第二のアームを戻すと、テープ７が第一のアームから延伸されて結束用伸張部が現れる。
以下、上記の結束とテープ延伸を繰り返すことで、効率よく結束作業を行うことができる。
【産業上の利用可能性】
【００２２】
テープの過剰な長さの分を調整して正しく結束することが容易な結束具であり、多くの園芸家による活用が考えられる。
【符号の説明】
【００２３】
１    結束具本体
２    テープリール
３    第一のアーム
４    第二のアーム
５    グリップ
６    レバー
７    テープ
８    被結束物
９    棒状体
【図１】
0003170375.tif 000003
【図２】
0003170375.tif 000004
【図３】
0003170375.tif 000005
【図４】
0003170375.tif 000006
【図５】
0003170375.tif 000007
【図６】
0003170375.tif 000008
【図７】
0003170375.tif 000009